(57)【要約】      （修正有）【課題】鼻緒本体にデコレーションホックを設けることにより鼻緒は勿論、鼻緒を設けた草履等をデコレーションして鼻緒と草履等の外観デザインを華やかにできるデコレーション鼻緒を提供する。【解決手段】デコレーション鼻緒１０の鼻緒本体１２の第１鼻緒本体１２Ａにはデコレーションホック２４の第１ホック体２６が載置固定されている。この第１ホック体２６には係止ピンが突設されている。第１ホック体２６には第１ホック体２６と共にデコレーションホック２４を構成する磁性を帯びた第２ホック体３６が着脱可能に取り付けられるようになっている。第２ホック体３６の下面中央には係止凹部が形成され、前記係止ピンが挿入できるようになっている。第２ホック体３６の上面には色ガラスで形成されたデコレーション体４０が固定されている。【選択図】図１
0003183197.tif 000002
【実用新案登録請求の範囲】
【請求項１】
鼻緒本体と、この鼻緒本体を中央部で曲げることにより鼻緒本体に区画形成された第１鼻緒本体及び第２鼻緒本体と、この第１鼻緒本体又は第２鼻緒本体の少なくとも一方に取り付けられたデコレーションホックの第１ホック体と、この第１ホック体と前記デコレーションホックを構成すると共に前記第１ホック体に着脱可能に係止する第２ホック体と、この第２ホック体に形成されたデコレーション体と、を有してなることを特徴とするデコレーション鼻緒。
【請求項２】
鼻緒本体を構成する筒状の鼻緒筒状体と、この鼻緒筒状体に挿入された鼻緒芯体と、前記鼻緒本体を中央部で曲げることにより前記鼻緒本体に区画形成された第１鼻緒本体及び第２鼻緒本体と、この第１鼻緒本体又は第２鼻緒本体の少なくとも一方に取り付けられると共にデコレーションホックを構成する第１ホック体と、この第１ホック体と前記デコレーションホックを構成すると共に前記第１ホック体に着脱可能に係止する第２ホック体と、この第２ホック体に形成されたデコレーション体と、を有してなることを特徴とするデコレーション鼻緒。
【請求項３】
鼻緒本体を構成する筒状の鼻緒筒状体と、この鼻緒筒状体に挿入された鼻緒芯体と、前記鼻緒本体を中央部で曲げることにより前記鼻緒本体に区画形成された第１鼻緒本体及び第２鼻緒本体と、この第１鼻緒本体又は第２鼻緒本体の少なくとも一方に取り付けられると共にデコレーションホックを構成する第１ホック体と、この第１ホック体の上面に突設された係止ピンと、前記第１ホック体の下面に突設されて前記鼻緒筒状体の上側鼻緒シート材を貫通すると共に前記上側鼻緒シート材の下面に配設された第１ホック体座金の貫通孔を挿通した後に折り曲げられた係止爪と、前記上側鼻緒シート材の下面に配設されて前記第１ホック体座金、係止爪をカバーする上側鼻緒シート材カバーと、前記第１ホック体と前記デコレーションホックと構成すると共に第１ホック体に着脱可能に取り付けられる第２ホック体と、この第２ホック体の下面に形成された係止凹部と、前記第２ホック体に固定されたデコレーション体と、を有してなることを特徴とするデコレーション鼻緒。
【請求項４】
前記デコレーションホックを磁気ホックで形成したことを特徴とする請求項１、請求項２、請求項３のいずれか１項に記載したデコレーション鼻緒。
【考案の詳細な説明】
【技術分野】
【０００１】
本考案は、草履等に設けられる鼻緒に関し、詳しくは鼻緒の鼻緒本体にデコレーションホックを取り付けたデコレーション鼻緒に関する。
【背景技術】
【０００２】
草履等には鼻緒が設けられているが、この鼻緒の鼻緒本体は布地や天然皮革等で形成された鼻緒筒状体の内部に綿等で形成された鼻緒芯体を挿入して形成されている（特許文献１）。
このため、従来の鼻緒の鼻緒本体は鼻緒筒状部を形成する布地や天然皮革等の模様や色彩のみでデザイン性を主張するのみでありであるため、従来の鼻緒はデザイン性や華やかさに欠けている。
ところで、草履を履く場合は、一般に和服を着るが最近の和服にはデザイン性に富み華やかな和服が多く提案されている。
このため、デザイン性に富み華やかな和服を着た場合にデザイン的に地味な鼻緒が設けられた草履を履くとファッションバランスを欠くという不具合がある。
【先行技術文献】
【特許文献】
【０００３】
【特許文献１】実用新案登録第３０７５３７１号
【考案の概要】
【考案が解決しようとする課題】
【０００４】
本考案は、上記事実に鑑みなされたものであり、鼻緒本体にデコレーションホックを取り付けることにより鼻緒は勿論、鼻緒を設けた草履等をデコレーションして鼻緒と草履等の外観デザインを華やかにできるデコレーション鼻緒を提供するものである。
【課題を解決するための手段】
【０００５】
請求項１の考案は、鼻緒本体と、この鼻緒本体を中央部で曲げることにより鼻緒本体に区画形成された第１鼻緒本体及び第２鼻緒本体と、この第１鼻緒本体又は第２鼻緒本体の少なくとも一方に取り付けられたデコレーションホックの第１ホック体と、この第１ホック体と前記デコレーションホックを構成すると共に前記第１ホック体に着脱可能に係止する第２ホック体と、この第２ホック体に形成されたデコレーション体と、を有してなることを特徴としている。
請求項２の考案は、鼻緒本体を構成する筒状の鼻緒筒状体と、この鼻緒筒状体に挿入された鼻緒芯体と、前記鼻緒本体を中央部で曲げることにより前記鼻緒本体に区画形成された第１鼻緒本体及び第２鼻緒本体と、この第１鼻緒本体又は第２鼻緒本体の少なくとも一方に取り付けられると共にデコレーションホックを構成する第１ホック体と、この第１ホック体と前記デコレーションホックを構成すると共に前記第１ホック体に着脱可能に係止する第２ホック体と、この第２ホック体に形成されたデコレーション体と、を有してなることを特徴としている。
請求項３の考案は、鼻緒本体を構成する筒状の鼻緒筒状体と、この鼻緒筒状体に挿入された鼻緒芯体と、前記鼻緒本体を中央部で曲げることにより前記鼻緒本体に区画形成された第１鼻緒本体及び第２鼻緒本体と、この第１鼻緒本体又は第２鼻緒本体の少なくとも一方に取り付けられると共にデコレーションホックを構成する第１ホック体と、この第１ホック体の上面に突設された係止ピンと、前記第１ホック体の下面に突設されて前記鼻緒筒状体の上側鼻緒シート材を貫通すると共に前記上側鼻緒シート材の下面に配設された第１ホック体座金の貫通孔を挿通した後に折り曲げられた係止爪と、前記上側鼻緒シート材の下面に配設されて前記第１ホック体座金、係止爪をカバーする上側鼻緒シート材カバーと、前記第１ホック体と前記デコレーションホックと構成すると共に第１ホック体に着脱可能に取り付けられる第２ホック体と、この第２ホック体の下面に形成された係止凹部と、前記第２ホック体に固定されたデコレーション体と、を有してなることを特徴としている。
請求項４の考案は、前記デコレーションホックを磁気ホックで形成したことを特徴としている。
【考案の効果】
【０００６】
本考案のデコレーション鼻緒は、鼻緒本体にデコレーションホックが取り付けられるので鼻緒や鼻緒が設けられた草履のデザイン性を高めたり華やかにすることができるという優れた効果を有する。
本考案のデコレーション鼻緒は、デコレーションホックのデコレーション体が着脱可能に取り付けられるので、その時の気分や外出先によってデコレーション体を容易に変えることができるという優れた効果を有する。
【図面の簡単な説明】
【０００７】
【図１】第１実施例のデコレーション鼻緒の斜視図である。
【図２】第１実施例のデコレーション鼻緒からデコレーション体を外した状態の斜視図である。
【図３】第１実施例のデコレーション鼻緒の一部拡大縦断面図である。
【図４】第１実施例のデコレーション鼻緒を設けた草履の斜視図である。
【図５】第２実施例のデコレーション鼻緒の斜視図である。
【図６】第３実施例のデコレーション鼻緒の斜視図である。
【考案を実施するための最良の形態】
【０００８】
考案を実施するために最良の形態の例として以下のような実施例を示す。
【実施例１】
【０００９】
図１〜図４には本考案に係るデコレーション鼻緒の第１実施例が示されている。この実施例では前記デコレーション鼻緒は草履１に設けられて使用される場合を例にして説明する。
図１及び図２に示されるように、デコレーション鼻緒１０は、鼻緒本体１２と、この鼻緒本体１２の中央部に取り付けられる前坪１４とから構成されている。
前記鼻緒本体１２は、鼻緒本体１２の外側を形成する鼻緒筒状体１６と、この鼻緒筒状体１６に挿入されると共に綿等の適宜材料で形成された鼻緒芯体１８とによって構成されている。また、前記鼻緒本体１２は中央部で曲げられて第１鼻緒本体１２Ａと第２鼻緒本体１２Ｂに区画されている。
前記鼻緒筒状体１６の下側は適宜素材の布地で形成された下側鼻緒シート材２０が配設され、前記鼻緒筒状体１６の上側は適宜素材の布地で形成された上側鼻緒シート材２２が配設されている。前記下側鼻緒シート材２０の一側部と前記上側鼻緒シート材２２の一側部、下側鼻緒シート材２０の他側部と前記上側鼻緒シート材２２の他側部、は共に縫着されている。前記上側鼻緒シート材２２は人目に触れ易いため一般に表面に色彩や模様等が施され、前記下側鼻緒シート材２０よりもデザイン性が高められている。
これにより、前記鼻緒筒状体１６が筒状に形成され、この鼻緒筒状体１６に前記鼻緒芯体１８を挿入できるようになっている。
図２に示されるように、第１鼻緒本体１２Ａの上側鼻緒シート材２２には磁気ホックで形成されたホックとしてのデコレーションホック２４を構成する金属製の第１ホック体２６が載置状態で固定されている。この第１ホック体２６は円板状に形成され、上面中央部には係止ピン２８が突設されている。
図３に示されるように、前記第１ホック体２６の下面には係止爪３０，３０が突設されている。この係止爪３０，３０は前記上側鼻緒シート材２２を貫通し前記上側鼻緒シート材２２の下面に配設されると共に前記第１ホック体２６を構成する第１ホック体座金３２の貫通孔３３に挿通された後に折り曲げられている。これにより、前記第１ホック体２６は前記上側鼻緒シート材２２に固定されている。
また、前記上側鼻緒シート材２２の下面には上側鼻緒シート材カバー３４が配設され、上側鼻緒シート材カバー３４は上側鼻緒シート材２２の下面と密着している。従って、折り曲げられた係止爪３０，３０や第１ホック体座金３２は露出しないので、鼻緒筒状体１６に鼻緒芯体１８を挿入する場合に鼻緒芯体１８が係止爪３０，３０や第１ホック体座金３２に引っ掛からないでスムーズに挿入できるようになっている。
図２に示されるように、前記第１ホック体２６には第１ホック体２６と共に前記デコレーションホック２４を構成する第２ホック体３６が着脱可能に取り付けられるようになっている。この第２ホック体３６は円板状に形成されると共に磁性を帯びている。
従って、図１に示されるように前記第２ホック体３６は前記第１ホック体２６と磁着するようになっている。
図３に示されるように、前記第２ホック体３６の下面中央には係止凹部３８が形成されている。この係止凹部３８には前記係止ピン２８が挿入できるようになっている。このため、係止ピン２８が係止凹部３８に挿入することにより、第１ホック体２６と第２ホック体３６はより確実に係止できるようになっている。
図１及び図２に示されるように、第２ホック体３６の上面にはカットした色ガラスで形成されたデコレーション体４０が固定されている。
従って、デコレーション鼻緒１０は鼻緒本体１２にデコレーションホック２４が取り付けられるのでデザイン的に華やかである。
なお、前記第１鼻緒本体１２Ａの上側鼻緒シート材２２に前記第１ホック体２６を固定しておいても、前記第１ホック体２６は高さ寸法が１ｍｍ〜２ｍｍと小さいので鼻緒本体１２の製造加工に支障が出るようなことは無い。
【００１０】
次に、第１実施例のデコレーション鼻緒１０を草履１に使用する場合を例にしてデコレーション鼻緒１０の作用を説明する。
図１に示されるように、デコレーション鼻緒１０の鼻緒本体１２にはデコレーションホック２４が設けられ、デコレーションホック２４の第１ホック体２６にはデコレーション体４０が固定された第２ホック体３６が係止されている。
従って、デコレーション鼻緒１０にはデコレーション体４０が取り付けられたデコレーションホック２４が設けられているのでデコレーション鼻緒１０をデザイン的に華やかにすることができる。
この結果、図４に示されるようにデコレーション鼻緒１０を設けた草履１は外観デザイン上華やかになる。このため、デザイン性に富み華やかな和服を着た場合にデコレーション鼻緒１０が設けられた草履１を履くと、和服と草履１が共に華やかになり、ファッションバランスをとることができる。
特に成人式や結婚披露宴等の華やかな席に出席する場合等には華やかな和服を着て華やかなヘアースタイルをするので、華やかなデコレーション鼻緒１０を設けた草履１はデザイン、ファッションバランス的にも最適である。
なお、第２ホック体３６を真上に強く引っ張れば第１ホック体２６から第２ホック体３６を外せるのでデコレーション体４０を迅速に取り外すことができる。
従って、デコレーション体４０の着脱が自由であるので、デコレーション体４０が設けられた第２ホック体３６を複数所有しておくことにより、外出先の場所やその日の気分等に合わせた外観デザインの草履１を履いて出かけることが気軽にできる。
また、色々なデザインが施されているデコレーション体４０が設けられている第２ホック体３６を複数所有しておいてデコレーション体４０を変えることにより草履１の外観イメージが大きく変わるので、草履１を購入することを抑えることができるため経済的でもある。
【００１１】
図５には第２実施例のデコレーション鼻緒が示されている。なお、第１実施例のデコレーション鼻緒１０と同一の構成は同一の符号を用いてその説明を省略する。
図５に示されるように、第２実施例のデコレーション鼻緒５０は鼻緒本体１２の第１鼻緒本体１２Ａと第２鼻緒本体１２Ｂの両方にそれぞれデコレーションホック２４が１個づつ設けられている。
従って、第１実施例のデコレーション鼻緒１０よりも第２実施例のデコレーション鼻緒５０の方がデコレーション体４０の数か増加するので、デザイン的に華やかにすることができる。
なお、他の構成及び作用、効果は第１実施例のデコレーション鼻緒１０と同一であるのでその説明は省略する。
【００１２】
図６には第３実施例のデコレーション鼻緒が示されている。なお、第１実施例のデコレーション鼻緒１０と同一の構成は同一の符号を用いてその説明を省略する。
図６に示されるように、第３実施例のデコレーション鼻緒６０のデコレーションホック２４を構成するデコレーション体６２が熊の人形となっている。
従って、このデコレーション体６２はデザインが可愛らしいので子供が履く草履に取り付けるとより好ましい。
なお、他の構成及び作用、効果は第１実施例のデコレーション鼻緒１０と同一であるのでその説明は省略する。
【００１３】
なお、デコレーションホック２４のデコレーション体は実施例に示したようにカットした色ガラスで形成されたデコレーション体４０や熊の人形のデコレーション体６２に限定されるものでないことは勿論である。
また、鼻緒本体１２に取り付けられるデコレーションホック２４の数は実施例に示す数に限定されるものでないことは勿論であり、デコレーションホック２４を数多く設けることによりデコレーション鼻緒１０，５０，６０をより華やかにすることができる。
なお、実施例では第２ホック体３６に磁性を帯びさせたが、第２ホック体３６でなく第１ホック体２６に磁性を帯びさせてもよいことは勿論である。
また、実施例ではホックとして磁気ホックでデコレーション磁気ホック２４を形成した場合を示したが、磁気ホック以外のホックでデコレーションホック２４を形成してもよいことは勿論である。
なお、実施例では第１ホック体２６に係止ピン２８を形成し、第２ホック体３６に係止凹部３８を形成したが、これに限定されるものでなく例えば第１ホック体２６に係止凹部を形成し、第２ホック体３６に係止ピンを形成してもよいことは勿論である。
また、実施例では第１ホック体２６、第２ホック体３６の形状を円板状に形成したが、第１ホック体２６、第２ホック体３６の形状は円板状に限定されるものでなく、平面視矩形状、菱形状、三角形状等でもよいことは勿論である。
【産業上の利用可能性】
【００１４】
本考案のデコレーション鼻緒は、草履だけでなく下駄にも使用することもできる。
【符号の説明】
【００１５】
１０    デコレーション鼻緒
１２    鼻緒本体
１２Ａ  第１鼻緒本体
１２Ｂ  第２鼻緒本体
１４    前坪
１６    鼻緒筒状体
１８    鼻緒芯体
２０    下側鼻緒シート材
２２    上側鼻緒シート材
２４    デコレーションホック
２６    第１ホック体
２８    係止ピン
３０    係止爪
３２    第１ホック体座金
３３    貫通孔
３４    上側鼻緒シート材カバー
３６    第２ホック体
３８    係止凹部
４０    デコレーション体
【図１】
0003183197.tif 000003
【図２】
0003183197.tif 000004
【図３】
0003183197.tif 000005
【図４】
0003183197.tif 000006
【図５】
0003183197.tif 000007
【図６】
0003183197.tif 000008